(57)【要約】【課題】その厚さ方向に通る空気の時間当たりの流量が小さくなるのを防止することができる通気性カーペットを提供する。【解決手段】パイル層２６とバッキング層３２とで構成される通気性カーペット３０において、前記バッキング層３２に前記パイル層２６とは反対側の面に開口して厚さ方向に深さを有するよう形成される空気溜め部４２と、前記バッキング層３２における前記パイル層２６側の面と前記空気溜め部４２との間の厚さ部分を貫通する通気孔４０とを備えるようにした。【効果】通気性カーペットの厚さ方向に通る空気の時間当たりの流量が小さくなるのを防止することができる。【選択図】図６
2010246888.tif 000002
【特許請求の範囲】
【請求項１】
パイル層とバッキング層とで構成される通気性カーペットにおいて、
前記バッキング層に前記パイル層とは反対側の面に開口して厚さ方向に深さを有するよう形成される空気溜め部と、
前記バッキング層における前記パイル層側の面と前記空気溜め部との間の厚さ部分を貫通する通気孔と
を備えることを特徴とする通気性カーペット。
【請求項２】
前記パイル層が、互いにほぼ等間隔に平行に並ぶ複数のパイル列により構成され、
前記通気孔が前記パイル列同士の間に形成されることを特徴とする請求項１に記載の通気性カーペット。
【請求項３】
前記通気孔が丸孔状に形成されていることを特徴とする請求項２に記載の通気性カーペット。
【請求項４】
前記通気孔がスリット状に形成されていることを特徴とする請求項２に記載の通気性カーペット。
【請求項５】
前記空気溜め部の平面形状の領域内に前記通気孔が複数配置されていることを特徴とする請求項１から４のいずれかに記載の通気性カーペット。
【請求項６】
前記空気溜め部は、長孔状に形成されたパネル貫通孔の長さ方向に対して傾斜した方向に長さを有する溝形状に形成されていることを特徴とする請求項１から５のいずれかに記載の通気性カーペット。
【発明の詳細な説明】
【技術分野】
【０００１】
本発明は、その厚さ方向に空気が通るための通気孔を有する通気性カーペットに関するものである。
【背景技術】
【０００２】
従来の通気性カーペットとしては、例えば、図１４に示すような通気性タイルカーペット２があった（第１の従来の通気性タイルカーペット）。同図は、従来の通気性タイルカーペット２が載置された通気性支持床４の一部を示す部分拡大断面図である。同図に示すように、通気性支持床４には、複数の通気孔６が形成されている（例えば、特許文献１参照）。
【０００３】
上記従来の通気性タイルカーペット２は、カーペット層１２とバッキング層１０とで構成される２層構造になっている。この通気性タイルカーペット２のカーペット層１２は、例えば、厚さ方向に通気性を有するシート材に、実質的にカーペットを構成するパイルを植毛したような状態のカーペットにより構成され、このようなカーペット層１２の上記シート材がバッキング層１０の上面に、部分的に塗布される接着剤により貼付けられている。
【０００４】
通気性タイルカーペット２のバッキング層１０は、粉砕して形成された異形の、粒径２ｍｍから５ｍｍ位の多数のウレタンゴムのチップを周りから押し固めて、予めそのチップの表面に塗布しておいたウレタン樹脂系のバインダーを加熱溶融させ、その溶融したバインダーを介して互いにチップ同士を付着させることにより、異形のチップ間に空隙ができるように形成したものである。このような構成により通気性タイルカーペット２は、その厚さ方向に通気性を有するようにしていた。
【０００５】
このような通気性タイルカーペット２と、この通気性タイルカーペット２が載置された通気性支持床４によれば、これらが敷設された部屋において、この通気性支持床４の下側の空間に連通する不図示のエアーダクト等を設置することにより、この不図示のエアーダクト等から送り出される温度等が調整された空気を、通気性支持床４の通気孔６及び通気性タイルカーペット２のバッキング層１０の異形のチップ間とカーペット層１２の細い通気孔を通って、通気性タイルカーペット２上の室内空間に空気を供給するような、室内空間の空調を行うことができるようになっていた。
【０００６】
また、図１５は、上記第１の従来の通気性タイルカーペット２とは異なる別の通気性タイルカーペット１６（第２の従来の通気性タイルカーペット）と、この通気性タイルカーペット１６が載置された通気性支持床１８の一部を示す部分拡大断面図である。同図に示すように、通気性支持床１８には、やはり複数の通気孔２０が形成されている。
【０００７】
また、上記第２の従来の通気性タイルカーペット１６は、ループパイル２３等により構成されたパイル層２４と、そのループパイル２３の基部を保持するバッキング層２２とで構成される、２層構造になっている。
【０００８】
このような通気性タイルカーペット１６は、そのパイル層２４とバッキング層２２の両方を貫通して連通する、水平断面が丸孔形状の複数の通気孔２６が、水平面において互いに略等間隔をおいて配置されて形成されている。
【０００９】
このような通気性タイルカーペット１６と、この通気性タイルカーペット１６が上面に載置された通気性支持床１８によれば、上記した第１の従来の通気性タイルカーペット２と通気性支持床４との組み合わせと同様に、これらが敷設された部屋において、この通気性支持床１８の下側の空間に連通する不図示のエアーダクト等を設置することにより、この不図示のエアーダクト等から送り出される温度等が調整された空気を、通気性支持床１８の通気孔２０及び通気性タイルカーペット１６の通気孔２６を通して、やはり通気性タイルカーペット１６上の室内空間に空気を供給して、室内空間の空調を行うことができるようになっていた。
【先行技術文献】
【特許文献】
【００１０】
【特許文献１】特公平８−２９１２４号公報
【発明の概要】
【発明が解決しようとする課題】
【００１１】
しかしながら、上記第１の従来の通気性タイルカーペット２においては、バッキング層１０における互いに付着したチップ間の微細な空隙を空気が通るようになっているため、この通気性タイルカーペット２をその厚さ方向に空気が通る際の抵抗が大きいので、空調を行う場合の時間当りの空気流量が少ない（流速が小さい）ため、通気性タイルカーペット２上の室内温度が設定温度に達するまでに長い時間がかかるという問題があった。
【００１２】
また、上記従来の通気性タイルカーペット２においては、バッキング層１０のチップ間の空隙は目が細かいわずかなものであるため、小さなゴミでも目詰まりしたり、重量物を載せた際につぶれてしまったりするという問題があった。
【００１３】
また、上記第２の従来の通気性タイルカーペット１６においては、図１５に示すように、複数の通気孔２６が形成されていても、これら複数の通気孔２６のうちの多数のものが、通気性支持床１８の通気孔２０と連通することができていないと共に、通気孔２０と連通している通気孔２６においても空気が通る際の抵抗が大きいので、空調を行う場合の時間当りの空気流量が少ないため、通気性タイルカーペット１６上の室内温度が設定温度に達するまでに長い時間がかかるという問題があった。
【００１４】
そこで本発明は、上記問題点に鑑みて、その厚さ方向に通る空気の時間当たりの流量が小さくなるのを防止することができる通気性カーペットを提供することを課題とするものである。
【課題を解決するための手段】
【００１５】
上記課題を解決するために本発明は、
パイル層とバッキング層とで構成される通気性カーペットにおいて、
前記バッキング層に前記パイル層とは反対側の面に開口して厚さ方向に深さを有するよう形成される空気溜め部と、
前記バッキング層における前記パイル層側の面と前記空気溜め部との間の厚さ部分を貫通する通気孔とを備えることを特徴とするものである。
【００１６】
また、本発明による通気性カーペットは、
前記パイル層が、互いにほぼ等間隔に平行に並ぶ複数のパイル列により構成され、
前記通気孔が前記パイル列同士の間に形成されることを特徴とするものである。
【００１７】
また、本発明による通気性カーペットは、前記通気孔が丸孔状に形成されていることを特徴とするものである。
【００１８】
また、本発明による通気性カーペットは、前記通気孔がスリット状に形成されていることを特徴とするものである。
【００１９】
また、本発明による通気性カーペットは、前記空気溜め部の平面形状の領域内に前記通気孔が複数配置されていることを特徴とするものである。
【００２０】
また、本発明による通気性カーペットは、
前記空気溜め部は、長孔状に形成されたパネル貫通孔の長さ方向に対して傾斜した方向に長さを有する溝形状に形成されていることを特徴とするものである。
【発明の効果】
【００２１】
このような本発明の通気性カーペットによれば、
パイル層とバッキング層とで構成される通気性カーペットにおいて、
前記バッキング層に前記パイル層とは反対側の面に開口して厚さ方向に深さを有するよう形成される空気溜め部と、
前記バッキング層における前記パイル層側の面と前記空気溜め部との間の厚さ部分を貫通する通気孔とを備えることにより、
その厚さ方向に通る空気の時間当たりの流量が小さくなるのを防止することができる。
【００２２】
また、本発明の通気性カーペットによれば、
前記パイル層が、互いにほぼ等間隔に平行に並ぶ複数のパイル列により構成され、
前記通気孔が前記パイル列同士の間に形成されることにより、
通気孔に目詰まりが生じるのを防止することができると共に、通気性カーペットの見栄えが悪くなるのを防止することができる。
【００２３】
また、本発明の通気性カーペットによれば、
前記通気孔が丸孔状に形成されていることにより、
丸孔状の通気孔を点在させて通気性カーペットの表面に通気孔を目立たせないようにすることにより、通気性カーペットの見栄えが悪くなるのを防止することができる。
【００２４】
また、本発明の通気性カーペットによれば、
前記通気孔がスリット状に形成されていることにより、
スリット状の通気孔を前記パイル列同士の間に形成して、通気性カーペットの表面に通気孔を目立たせないようにすることにより、通気性カーペットの見栄えが悪くなるのを防止することができる。
【００２５】
また、本発明の通気性カーペットによれば、
前記空気溜め部の平面形状の領域内に前記通気孔が複数配置されていることにより、
その厚さ方向に通る空気の時間当たりの流量が小さくなるのをさらに効果的に防止することができる他に、通気孔それぞれの間の時間当たりの空気の流量差を緩和することができる。
【００２６】
また、本発明の通気性カーペットによれば、
前記空気溜め部は、長孔状に形成されたパネル貫通孔の長さ方向に対して傾斜した方向に長さを有する溝形状に形成されていることにより、
空気溜め部がパネル貫通孔と確実に重なる状態となり、空気溜め部を通して室内空間に空気を供給することができる。
【図面の簡単な説明】
【００２７】
【図１】本発明の第１の実施の形態に係る通気性タイルカーペット３０を示す平面図である。
【図２】図１に示すタイルカーペット３０をフリーアクセスフロア５０のパネル部材４４の上に敷設した状態を示す一部平面図である。
【図３】図４に示すパネル部材４４の１枚のみを示す平面図である。
【図４】図５に示すパネル部材４４の側面図である。
【図５】図１に示す通気性タイルカーペット３０の一部領域を示す部分拡大平面図である。
【図６】図５に示す通気性タイルカーペット３０のＡ−Ａ線矢視の部分拡大断面図である。
【図７】図５に示す通気性タイルカーペット３０であって、ループパイル３４を簡略化して示す部分拡大平面図である。
【図８】本発明の第２の実施の形態に係る通気性タイルカーペット６０の一部領域を示す部分拡大平面図である。
【図９】図８に示す通気性タイルカーペット６０のＢ−Ｂ線矢視の部分拡大断面図である。
【図１０】本発明の第３の実施の形態に係る通気性タイルカーペット７０の一部領域を示す部分拡大平面図である。
【図１１】図１０に示す通気性タイルカーペット７０のＣ−Ｃ線矢視の部分拡大断面図である。
【図１２】本発明の第４の実施の形態に係る通気性タイルカーペット８０の一部領域を示す部分拡大平面図である。
【図１３】図１２に示す通気性タイルカーペット８０のＤ−Ｄ線矢視の部分拡大断面図である。
【図１４】第１の従来のタイルカーペット２、及び通気性支持床４を示す部分拡大断面図である。
【図１５】第２の従来のタイルカーペット１６、及び通気性支持床１８を示す部分拡大断面図である。
【発明を実施するための形態】
【００２８】
以下、本発明に係る通気性カーペットを実施するための形態について、図面に基づいて具体的に説明する。
図１から図７は、本発明の第１の実施の形態に係る通気性タイルカーペット３０（通気性カーペット）について説明するために参照する図である。
【００２９】
本実施の形態に係る通気性タイルカーペット３０は、図１に示すように、その平面形状が略正方形であるタイル状に形成されている。これにより、通気性タイルカーペット３０は、図２に示すように、通気性支持床としてのフリーアクセスフロア５０の上に縦横に複数並べて敷くことができるようになっている。
【００３０】
ここで、図２は、部屋内に設置されたフリーアクセスフロア５０の一部の領域と、このフリーアクセスフロア５０上に敷設された複数のタイルカーペット３０の一部を示す一部平面図である。
【００３１】
図２は、便宜上、フリーアクセスフロア５０上の一部領域において、タイルカーペット３０が敷設されていない状態を示しているが、実際にはタイルカーペット３０は、フリーアクセスフロア５０上の広さ全体にわたって敷設されている。また、図２中において、フリーアクセスフロア５０の、後述するパネル部材４４の複数のパネル貫通孔４６は、図面の複雑化を防止するために、図示していない。
【００３２】
フリーアクセスフロア５０は、水平面上に縦横に互いに隣り合うように整列して配置される複数のパネル部材４４と、このパネル部材４４の四隅のそれぞれを下側から支持する複数の支持脚５２を備えて構成されている。これにより、フリーアクセスフロア５０は、そのパネル部材４４の下側に床下空間を有するようになっている。このフリーアクセスフロア５０の床下空間には、不図示のエアーダクトが連通しており、温度等が調整された空気が供給されるようになっている。
【００３３】
また、フリーアクセスフロア５０のパネル部材４４のそれぞれは、図３に示すように、その平面形状が、図１に示すタイルカーペット３０の平面形状と同じ大きさの四辺形となるように形成されている。また、パネル部材４４は、図４に示すように、一定の厚さを有する板状に形成されている。
【００３４】
また、このパネル部材４４には、図３に示すように、その厚さ方向に貫通する複数の、長孔状のパネル貫通孔４６が形成されている。パネル部材４４の複数のパネル貫通孔４６は、図３に示すパネル部材４４の四辺形の平面領域を、仮想線Ｘ，Ｙにより縦横２列に配置される同じ大きさの４つの四辺形に区切ったそれぞれの領域の、中央部分に密集して形成されている。
【００３５】
パネル部材４４は、複数のパネル貫通孔４６が形成された領域以外の、仮想線Ｘ，Ｙのそれぞれを含んで幅を有するような十字状の領域と、四辺形の平面形状における四辺の各辺に沿って幅を有するようなロの字状の周縁部分とを足し合わせた領域、すなわち、漢字の「田」の字状の幅を有する領域において、パネル貫通孔４６を塞ぐことがないようにして、その領域の上面に接着剤をローラ等で塗布するか、又は両面接着テープを貼着する等により、図２に示すタイルカーペット３０のバッキング層３２（図６参照）の下面をパネル部材４４に接着して固定するようになっている。
【００３６】
また、図２に示すように、複数のタイルカーペット３０間の目地は、フリーアクセスフロア５０におけるパネル部材４４間の目地と、その四辺形の平面形状の各辺の丁度半分の長さ分だけ、前記各辺の縦横両方向のそれぞれに平行方向にずらして配置されている。
【００３７】
図５は、通気性タイルカーペット３０の平面領域の一部を拡大して示す部分拡大平面図であり、図６は、図５中におけるＡ―Ａ線矢視の部分拡大断面図である。通気性タイルカーペット３０は、図６に示すように、パイル層３６とバッキング層３２とを備えている。
【００３８】
通気性タイルカーペット３０のパイル層３６は、バッキング層３２の上側に、略逆Ｕ字型のループ形状を形成して露出する複数のループパイル３４で構成されている。このループパイル３４は、細い複数のパイル用繊維３５が束ねられて構成されている。これにより、ループパイル３４のそれぞれは、図５及び図６に示すように、寸法Ｄで示す太さを有している。
【００３９】
また、上記複数のループパイル３４のそれぞれは、上述したとおり、図６に示すように、その露出する長さ部分が略逆Ｕ字型のループ形状を形成しているため、通気性タイルカーペット３０は、その上側から見下ろしたときには、図５に示すように、これら複数のループパイル３４のそれぞれについて、図６中の寸法Ｐで示す範囲の上面だけを視認することができる。
【００４０】
また、ループパイル３４のそれぞれは、図６に示すように、そのバッキング層３２の上側に露出するループ状の長さ部分の両下端部それぞれの下側方向に伸びる長さ延長部分が、バッキング層３２に植え込まれていることにより、バッキング層３２に保持されるようになっている。
【００４１】
ここで、ループパイル３４の両下端部のそれぞれを、基部３４ａと呼ぶこととする。ループパイル３４の両下端部の基部３４ａそれぞれは、これら基部３４ａ同士が互いに対向する方向（図６中左右方向）の延長方向において、これら基部３４ａそれぞれの下側に延長する、バッキング層３２に植え込まれている長さ部分を介して、互いに隣り合って配置されるループパイル３４の基部３４ａ同士がバッキング層３２内で繋がっている。
【００４２】
したがって、ループパイル３４のそれぞれは、その両下端部の基部３４ａ同士が互いに対向する方向（図６中左右方向）の延長方向に配置される他の複数のループパイル３４と一体的に繋がって配置されている。このような一体的に繋がって配置される複数のループパイル３４同士は、図５中では上下方向よりも若干時計回り方向に傾いた方向（以後の説明において、便宜上、略上下方向という。）に連なって配置されている。
【００４３】
また、ループパイル３４のそれぞれは、図５中左右方向に、互いに繋がっていない他のループパイル３４と互いに隣り合うように配置されている。これにより、複数のループパイル３４は、図５中左右方向にほぼ一直線状に連なって見えるように並んで配置され、パイル列３８を形成するようになっている。
【００４４】
図面６における通気性タイルカーペット３０のパイル層３６は、図５に示すように、上述したようなパイル列３８が、図中上下方向にほぼ等しい間隔を置いて互いに平行になるように複数並んで配置されている。
【００４５】
また、通気性タイルカーペット３０のバッキング層３２には、図６に示すように、パイル層３６とは反対側の面に開口し、厚さ方向に深さを有するような空気溜め部４２が形成されている。また、バッキング層３２には、そのパイル層３６側の面と空気溜め部４２の底面との間の厚さ部分を貫通する通気孔４０が形成されている。
【００４６】
複数の通気孔４０のそれぞれは、図５中左右方向に一定間隔を置いて互いに離れて形成されていると共に、図５中上下方向に間隔を置いて並ぶ複数のパイル列３８それぞれの間に形成される複数の狭間（はざま）のうち、例えば、その間に２つのパイル列３８を挟んで離れて配置される狭間のそれぞれに開口するように形成されている。
【００４７】
ここで、図５中において、この通気性タイルカーペット３０のバッキング層３２に形成される図６中の空気溜め部４２をかくれ線（破線）で図示しようとすると図面が複雑化するため、平面図上に空気溜め部４２の平面形状を図示する場合には、図７のように示すこととし、ループパイル３４については、便宜上、その外形だけを二点鎖線で図７のように示すこととする。
【００４８】
また図７に示すように、空気溜め部４２は、その平面形状が円形状となるように形成され、この平面形状の大きさが、丸孔状の通気孔４０の開口形状よりも大きくなるように形成されている。また、通気孔４０のそれぞれは、空気溜め部４２の平面形状の中央部において空気溜め部４２と連通するように配置され形成されている。
【００４９】
このような本実施の形態に係る通気性タイルカーペット３０によれば、図７に示すように、そのバッキング層３２に、通気孔４０の開口形状よりも大きい開口形状の空気溜め部４２が、パイル層３６とは反対側の面に開口するように形成されているので、この通気性タイルカーペット３０が図３に示すパネル部材４４上に敷設される際に、図７に示す複数の通気孔４０のうち、パネル部材４４のパネル貫通孔４６の開口領域から水平方向に外れるように配置される場合においても、空気溜め部４２の開口領域の一部がパネル貫通孔４６の開口領域と重なり合うことにより、通気孔４０は空気溜め部４２を介してパネル貫通孔４６と連通することができる。
【００５０】
このことにより、バッキング層３２の通気孔４０と、パネル部材４４のパネル貫通孔４６の間を、空気溜め部４２を介することにより、通気させるように連通させることができる。
【００５１】
また、例えば、複数の通気孔４０のうち、パネル貫通孔４６の開口形状の内側と外側に跨って配置されるものにおいては、パネル貫通孔４６の開口領域と互いに重なり合う開口領域が一部分だけしか無い場合でも、この通気孔４０とパネル貫通孔４６とが互いに重なり合う開口領域よりも大きな開口領域で空気溜め部４２がパネル貫通孔４６と連通するようになるので、パネル貫通孔４６と通気孔４０との間の有効連通断面積が、互いに上記一部分だけの開口領域より大きくすることができるため、パネル貫通孔４６から通気孔４０へ空気が進入する際の抵抗を小さくすることができる。
【００５２】
また、本実施の形態に係る通気性タイルカーペット３０によれば、バッキング層３２に空気溜め部４２が形成されていることにより、通気孔４０における通気方向（通気性タイルカーペット３０の厚さ方向）の長さを短くすることができるので、長い長さにわたって空気が流れる場合に比べて、その厚さ方向に通る空気の時間当たりの流量が小さくなるのを防止することができる。
【００５３】
このため、本実施の形態に係る通気性タイルカーペット３０によれば、上述したとおり、パネル部材４４上に敷設したときに、パネル部材４４のパネル貫通孔４６に連通する通気孔４０の個数を増加させることができ、パネル貫通孔４６から通気孔４０へ空気が進入する際の抵抗を小さくすることができ、通気孔４０における通気方向の長さを短くすることができるので、この通気性タイルカーペット３０の厚さ方向に通る空気の時間当たりの流量が小さくなるのを防止することができる。
【００５４】
また、本実施の形態に係る通気性タイルカーペット３０によれば、通気孔４０がパイル列３８に囲まれてゴミが入り難くすることができると共に、バッキング層３２に空気溜め部４２が形成されたことにより、通気孔４０における通気方向の長さを短くすることができるので、通気孔４０に目詰まりが生じ難くすることができる。
【００５５】
また、本実施の形態に係る通気性タイルカーペット３０によれば、そのバッキング層３２の複数の通気孔４０のそれぞれが、パイル列３８同士の間の狭間に開口するように形成されているので、以下のような観点から、この通気性タイルカーペット３０の見栄えが悪くなるのを防止することができる。
【００５６】
例えば、通気性タイルカーペット３０におけるバッキング層３２の通気孔４０が、仮に、パイル列３８同士の間の狭間以外の個所に開口するように形成される場合には、この通気孔４０を形成するドリル等の工具により、図６に示すループパイル３４におけるバッキング層３２の上側の逆Ｕ字状の露出部分の長さ中間部分が切断されてしまったり、基部３４ａがその下側延長部分のバッキング層３２に植え込まれている長さ部分と切り離されたりしてしまうので、ループパイル３４がほつれて、通気性タイルカーペット３０の見栄えが悪くなってしまう。
【００５７】
これに対して、本実施の形態に係る通気性タイルカーペット３０では、その通気孔４０が、パイル列３８同士の間の狭間に開口するように形成されているので、そのバッキング層３２の上側に露出する逆Ｕ字状のループパイル３４の長さ中間部分が切断されるおそれはなく、また、基部３４ａがその下側延長部分から切り離されるおそれも生じないので、ループパイル３４がほつれて通気性タイルカーペット３０の見栄えが悪くなってしまうのを防止することができる。
【００５８】
このように、通気性タイルカーペット３０においては、そのループパイル３４がほつれ易くなるのを防止することができるので、そのほつれにより通気性タイルカーペット３０の見栄えが悪くなるのを防止することができる。
【００５９】
一方、本実施の形態に係る通気性タイルカーペット３０によれば、通気孔４０が丸孔状に形成されていると共に、この丸孔状の通気孔４０を間隔を置いて点在させることにより、通気性カーペット３０の表面に通気孔４０を目立たせないようにすることができるので、通気性カーペット３０の見栄えが悪くなるのを防止することができる。
【００６０】
次に、図８及び図９は、本発明の第２の実施の形態に係る通気性タイルカーペット６０について説明するために参照する図である。
【００６１】
本実施の形態に係る通気性タイルカーペット６０は、図８及び図９に示すように、前記第１の実施の形態に係る通気性タイルカーペット３０における通気孔４０及び空気溜め部４２のそれぞれの代わりに、通気孔６２及び空気溜め部６４が形成されている。
【００６２】
通気性タイルカーペット６０の通気孔６２のそれぞれは、図８に示すように、その開口形状における幅方向（図８中、上下方向）の寸法が、その長さ方向（図８中、左右方向）の寸法と比べて遥かに狭いスリット状に形成され、この開口形状の長さ方向が、パイル列３８の長さ方向（図８中、左右方向）と平行になるように形成されている。
【００６３】
また、空気溜め部６４のそれぞれは、その平面形状が細長い長方形となるように形成され、その長さ方向が通気孔６２におけるスリット状の開口形状の長さ方向と同じ方向になるように形成されている。また、空気溜め部６４のそれぞれは、その平面領域の中央部において通気孔６２に連通するように形成されている。
【００６４】
このような本実施の形態に係る通気性タイルカーペット６０によれば、そのバッキング層３２に空気溜め部６４が形成されたことにより、前記第１の実施の形態と同様に、図３に示すパネル部材４４上に敷設したときに、パネル部材４４のパネル貫通孔４６に連通する通気孔６２の個数を増加させることができ、パネル貫通孔４６から通気孔６２へ空気が進入する際の抵抗を小さくすることができ、通気孔６２における通気方向の長さを短くすることができるので、この通気性タイルカーペット６０の厚さ方向に通る空気の時間当たりの流量が小さくなるのを防止することができる。
【００６５】
また、本実施の形態に係る通気性タイルカーペット６０によれば、通気孔６２がパイル列３８に囲まれてゴミが入り難くすることができると共に、バッキング層３２に空気溜め部６４が形成されたことにより、通気孔６２における通気方向の長さを短くすることができるので、通気孔６２に目詰まりが生じ難くすることができる。
【００６６】
また、本実施の形態に係る通気性タイルカーペット６０によれば、そのバッキング層３２の複数の通気孔６２のそれぞれが、パイル列３８同士の間の狭間に開口するように形成されていることにより、前記第１の実施の形態と同様に、この通気性タイルカーペット６０の見栄えが悪くなるのを防止することができると共に、通気孔６２のそれぞれがスリット状に形成されていることにより、その開口面積が大きくなるとしても、見栄えが悪くなるのを防止することができる。
【００６７】
次に、図１０及び図１１は、本発明の第３の実施の形態に係る通気性タイルカーペット７０について説明するために参照する図である。
【００６８】
本実施の形態に係る通気性タイルカーペット７０には、図１０及び図１１に示すように、前記第２の実施の形態に係る通気性タイルカーペット６０における空気溜め部６４（図８及び図９参照）の代わりに、空気溜め部７２が形成されている。
【００６９】
この空気溜め部７２は、図１０に示すように、その平面形状が略正方形となるように形成され、この平面形状の領域内に、図１０中の上下方向に互いに離れて対向して並ぶ２つのスリット状の通気孔６２を含むように形成されている。
【００７０】
このような本実施の形態に係る通気性タイルカーペット７０によれば、そのバッキング層３２に空気溜め部７２が形成されたことにより、図３に示すパネル部材４４上に敷設したときに、前記第２の実施の形態に比べて、パネル部材４４のパネル貫通孔４６に連通する通気孔６２の個数をより増加させることができると共に、パネル貫通孔４６から通気孔６２へ空気が進入する際の抵抗をより小さくすることができるので、通気性タイルカーペット７０の厚さ方向に通る空気の時間当たりの流量が小さくなるのを、さらに効果的に防止することができる。
【００７１】
また、本実施の形態に係る通気性タイルカーペット７０によれば、そのバッキング層３２に空気溜め部７２が形成されたことにより、前記第２の実施の形態と同様に、通気孔６２における通気方向の長さを短くすることができるので、通気孔６２に目詰まりが生じるのを防止することができる。
【００７２】
また、本実施の形態に係る通気性タイルカーペット７０によれば、通気孔６２がパイル列３８に囲まれてゴミが入り難くすることができると共に、バッキング層３２に空気溜め部７２が形成されたことにより、通気孔６２における通気方向の長さを短くすることができるので、通気孔６２に目詰まりが生じ難くすることができる。
【００７３】
また、本実施の形態に係る通気性タイルカーペット７０によれば、空気溜め部７２の平面形状の領域内に通気孔６２が複数配置して連通されていることにより、通気孔６２それぞれの間の流量差を緩和することもできる。
【００７４】
次に、図１２及び図１３は、本発明の第４の実施の形態に係る通気性タイルカーペット８０について説明するために参照する図である。
【００７５】
本実施の形態に係る通気性タイルカーペット８０には、図１２及び図１３に示すように、前記第３の実施の形態に係る通気性タイルカーペット７０における通気孔６２及び空気溜め部７２のそれぞれの代わりに、通気孔８２及び空気溜め部８４が形成されている。
【００７６】
通気性タイルカーペット８０の通気孔８２のそれぞれは、図１２に示すように、前記第１の実施の形態に係る通気性タイルカーペット３０における通気孔４０と同様に、丸孔状に形成されている。
【００７７】
また、空気溜め部８４は、図１２に示すようにその平面形状が長方形で長さを有し、図１３に示すように深さを有する溝形状に形成されている。空気溜め部８４の長さ方向は、図１２に示すように、上下又は左右の方向に対して傾斜した方向に形成されている。
【００７８】
図３に示すパネル部材４４に形成されている長孔状のパネル貫通孔４６の長さ方向は、図１２中には図示していないが、同図中上下方向及び左右方向に配置されているものとすると、このパネル貫通孔４６の長さ方向は空気溜め部８４の長さ方向に対して傾斜した方向、すなわち互いに交差した方向となるように配置されている。
【００７９】
一方、図１２に示すように、空気溜め部８４のそれぞれは、その平面形状の長方形の領域内に、その長さ方向に互いに離れて並ぶ３つの通気孔８２を含むように形成されている。
【００８０】
このような本実施の形態に係る通気性タイルカーペット８０によれば、そのバッキング層３２に、パネル部材４４のパネル貫通孔４６の長さ方向に対して傾斜した方向に空気溜め部８４が形成されていることにより、図３に示すパネル部材４４上に敷設したときに、各空気溜め部８４がパネル貫通孔４６と確実に重なる状態となり、各空気溜め部８４を通して室内空間に空気を供給することができる。
【００８１】
また、空気溜め部８４に連通するパネル貫通孔４６の個数をより増加させることができると共に、パネル貫通孔４６から空気溜め部８４へ空気が進入する際の抵抗をより小さくすることができるので、通気性タイルカーペット８０の厚さ方向に通る空気の時間当たりの流量が小さくなるのをさらに効果的に防止することができる。
【００８２】
なお、前記第１の実施の形態に係る通気性タイルカーペット３０においては、図５に示すように、同図中の略上下方向に狭間を挟んで並ぶパイル列３８の複数のループパイル３４のそれぞれが１束のパイル糸で構成されていたが、バッキング層３２内でパイル糸同士が互いに交差したり絡んだりして編込まれることにより、ループパイル３４同士が互いのパイル糸同士で構成されるようになっていてもよい。また、前記第２、第３及び第４の実施の形態に係る通気性タイルカーペット６０，７０，８０においても同様にしてもよい。
【００８３】
また、前記第１から第４の実施の形態に係る通気性タイルカーペット３０，６０，７０，８０のそれぞれのパイル層３６においては、図７、図８、図１０及び図１２に示すように、同図中の左右方向にループパイル３４が並ぶことにより複数のパイル列３８が形成されていたが、パイル列３８が形成されないようになっていてもよい。
【００８４】
また、前記第２及び第３の実施の形態に係る通気性タイルカーペット６０，７０においては、通気孔６２のそれぞれは、その開口形状が直線状のスリット形状となるように形成されていたが、通気孔６２はこのような開口形状のものに限定されず、例えば、パイル列３８間の狭間がその長さ方向にわたって、円弧状や正弦曲線状等のように湾曲するように形成されている場合は、その形状に沿うような形状のスリットに形成されていてもよい。
【００８５】
また、前記第３の実施の形態に係る通気性タイルカーペット７０においては、図１０に示すように、そのバッキング層３２の空気溜め部７２が、その平面形状の領域内に、図中上下方向に互いに離れて平行に並ぶ２つの通気孔６２を含むように形成されていたが、図中左右方向に互いに離れて一直線状に並ぶ２つの通気孔６２を含むように形成されていてもよい。
【００８６】
或いは、空気溜め部７２は、その平面形状の領域内に、図１０中の上下方向と左右方向のそれぞれの方向に離れて並ぶ通気孔６２を任意の個数だけ含むように形成されていてもよい。
【００８７】
また、前記第４の実施の形態に係る通気性タイルカーペット８０においては、図３に示すように、パネル貫通孔４６はその長さ方向が図中の上下方向及び左右方向に配置された長孔状に形成されていたが、パネル貫通孔４６の長さ方向が図３中斜め方向に配置されている場合には、例えば空気溜め部８４の長さ方向を上下方向や左右方向などに形成して、パネル貫通孔４６の長さ方向に対して傾斜したように形成すればよい。
また、パネル貫通孔４６はその長さ方向が図３中の上下方向又は左右方向のいずれか一方向にのみ長孔状に形成されていてもよい。
【００８８】
また、前記第４の実施の形態に係る通気性タイルカーペット８０においては、図１２に示すように、そのバッキング層３２の空気溜め部８４が、その平面形状の領域内に、図中斜め方向に互いに離れて並ぶ３つの通気孔８２を含むように形成されていたが、空気溜め部８４は通気孔８２を他の任意の個数だけ含むように形成されていてもよい。
【００８９】
また、前記第１の実施の形態に係る通気性タイルカーペット３０においては、その空気溜め部４２はその平面形状が円形状となるように形成され、前記第２、第３及び第４の実施の形態に係る通気性タイルカーペット６０，７０，８０においては、その空気溜め部６４，７２，８４はその平面形状が長方形や正方形等の四辺形に形成されていたが、空気溜め部の平面形状は、このような特定の形状に限定されず、また、その大きさも特定の大きさに限定されない。
【００９０】
また、空気溜め部の平面形状が、上述したとおりに、特定の形状や大きさに限定されずに、任意の形状及び大きさで形成される場合においては、この平面形状の領域内に形成される通気孔は、その位置、形状、大きさ、個数等のそれぞれについて特定のものに限定されないように形成することもできる。
【００９１】
また、前記第１の実施の形態に係る通気性タイルカーペット３０においては、図２に示すように、複数のタイルカーペット３０間の目地は、フリーアクセスフロア５０におけるパネル部材４４間の目地と、その四辺形の平面形状の各辺の丁度半分の長さ分だけ、前記各辺の縦横両方向のそれぞれに平行方向にずらして配置されていたが、通気性タイルカーペット３０の配置の仕方はこのようなものに限定されない。前記第２、第３及び第４の実施の形態に係る通気性タイルカーペット６０，７０，８０においても同様である。
【符号の説明】
【００９２】
２  タイルカーペット
４  通気性支持床
６  通気孔
１０  バッキング層
１２  カーペット層
１６  タイルカーペット
１８  通気性支持床
２０  通気孔
２２  バッキング層
２３  ループパイル
２４  カーペット層
２６  通気孔
３０  通気性タイルカーペット
３２  バッキング層
３４  ループパイル
３４ａ  基部
３６  パイル層
３５  パイル用繊維
３８  パイル列
４０  通気孔
４２  空気溜め部
４４  パネル部材
４６  パネル貫通孔
５０  フリーアクセスフロア
５２  支持脚
６０  通気性タイルカーペット
６２  通気孔
６４  空気溜め部
７０  通気性タイルカーペット
７２  空気溜め部
８０  通気性タイルカーペット
８２  通気孔
８４  空気溜め部
【図１】
2010246888.tif 000003
【図２】
2010246888.tif 000004
【図３】
2010246888.tif 000005
【図４】
2010246888.tif 000006
【図５】
2010246888.tif 000007
【図６】
2010246888.tif 000008
【図７】
2010246888.tif 000009
【図８】
2010246888.tif 000010
【図９】
2010246888.tif 000011
【図１０】
2010246888.tif 000012
【図１１】
2010246888.tif 000013
【図１２】
2010246888.tif 000014
【図１３】
2010246888.tif 000015
【図１４】
2010246888.tif 000016
【図１５】
2010246888.tif 000017